(57)【特許請求の範囲】
【請求項１】
第１の方向に並べられて配設された複数の第１のループコイルと、前記第１の方向に交差する第２の方向に並べられて配設された複数の第２のループコイルとを備えるセンサ部と、
前記センサ部に対して位置指示器とは反対側に配設されたヨークシートと、
前記センサ部の隅部に、前記第１のループコイル及び前記第２のループコイルとは電気的に接続されることなく配設された補助用ループコイルと、
前記位置指示器のコイルに誘導電流を誘起させる磁界を発生させるために、前記第１のループコイルまたは前記第２のループコイルまたは前記補助用ループコイルに信号を送信するための信号送信部と、
前記第１のループコイルまたは前記第２のループコイルまたは前記補助用ループコイルのいずれかを選択し前記信号送信部からの信号を送信させるか、前記第１のループコイルまたは前記第２のループコイルのいずれかを選択し前記位置指示器からの信号を受信させるかを制御する制御部と、
を備える位置検出装置。
【請求項２】
前記制御部は、前記センサ部の前記第１の方向の周部の前記第１のループコイルと、前記センサ部の前記第２の方向の周部の前記第２のループコイルは、前記位置指示器からの信号の受信用として動作させるように制御する
請求項１に記載の位置検出装置。
【請求項３】
前記制御部は、
前記センサ部の前記第１の方向の周部と前記センサ部の前記第２の方向の周部とが重なる部分を除く前記センサ部の前記第１の方向の周部での前記位置指示器への磁界の供給は、前記第２のループコイルに前記信号送信部からの信号を送信して励磁することにより行い、
前記センサ部の前記第１の方向の周部と前記センサ部の前記第２の方向の周部とが重なる部分を除く前記センサ部の前記第２の方向の周部での前記位置指示器への磁界の供給は、前記第１のループコイルに前記信号送信部からの信号を送信して励磁することにより行う
ことを特徴とする
請求項２に記載の位置検出装置。
【請求項４】
前記第１のループコイルおよび前記第２のループコイルは長辺と端部とからなり、最も短い前記長辺の長さよりも、前記補助用ループコイルの、前記センサ部の端部に最も近接するコイル線材の長さが短い
請求項１または請求項２に記載の位置検出装置。
【請求項５】
前記センサ部は四角形形状とされ、
前記補助用ループコイルは、前記センサ部の４隅の隅部に配置される
請求項１に記載の位置検出装置。
【請求項６】
前記補助用ループコイルは、前記センサ部の隅部および周部に配置される
請求項１に記載の位置検出装置。
【請求項７】
前記センサ部の前記第１の方向の周部で囲まれた領域内の前記第１のループコイルから、隣接する他の前記第１のループコイルに前記信号送信部から前記信号が送信されて順々に励磁され、
さらに、前記センサ部の前記第２の方向の周部で囲まれた領域内の前記第２のループコイルから、隣接する他の第２のループコイルに前記信号送信部から前記信号が送信されて順々に励磁され、
さらに、前記補助用ループコイルに前記信号送信部から前記信号が送信されて励磁される
請求項２または請求項３に記載の位置検出装置。
【請求項８】
第１の方向に並べられて配設され、磁界を発生させる、または、外部からの磁界を検出する動作を行う複数の第１のループコイルと、
前記第１の方向に交差する第２の方向に並べられて配設され、磁界を発生させる、または、外部からの磁界を検出する動作を行う複数の第２のループコイルと、
前記第１のループコイルと前記第２のループコイルが配設された領域の隅部に、前記第１のループコイル及び前記第２のループコイルとは電気的に接続されることなく配設され、磁界を発生させる用途用の補助用ループコイルと、
が配設されてなるセンサ基板であって、
前記センサ部に対して位置指示器とは反対側に配設されたヨークシートと、前記位置指示器のコイルに誘導電流を誘起させる磁界を発生させるために、前記第１のループコイルまたは前記第２のループコイルまたは前記補助用ループコイルに信号を送信するための信号送信部と、前記第１のループコイルまたは前記第２のループコイルまたは前記補助用ループコイルのいずれかを選択し前記信号送信部からの信号を送信させるか、前記第１のループコイルまたは前記第２のループコイルのいずれかを選択し前記位置指示器からの信号を受信させるかを制御する制御部とを具備する位置検出装置に備えられるセンサ基板。
【請求項９】
前記第１のループコイルと前記第２のループコイルが配設された領域は四角形形状とされ、
前記補助用ループコイルは、前記領域の４隅の隅部に配置される
請求項８に記載のセンサ基板。
【請求項１０】
少なくとも一つのコイルを有する位置指示器と、
前記位置指示器により指示される検出面を有し、前記位置指示器が指示した位置を検出する位置検出装置と、
を備え、
前記位置検出装置は、
第１の方向に並べられて配設された複数の第１のループコイルと、前記第１の方向に交差する第２の方向に並べられて配設された複数の第２のループコイルとを備えるセンサ部と、
前記センサ部に対して前記位置指示器と反対側に配設されたヨークシートと、
前記センサ部の隅部に、前記第１のループコイル及び前記第２のループコイルとは電気的に接続されることなく配設された補助用ループコイルと、
前記位置指示器のコイルに誘導電流を誘起させる磁界を発生させるために、前記第１のループコイルまたは前記第２のループコイルまたは前記補助用ループコイルに信号を送信するための信号送信部と、
前記第１のループコイルまたは前記第２のループコイルまたは前記補助用ループコイルのいずれかを選択し前記信号送信部からの信号を送信させるか、前記第１のループコイルまたは前記第２のループコイルのいずれかを選択し前記位置指示器からの信号を受信するかを制御する制御部と、
を備える位置入力装置。
【発明の詳細な説明】
【技術分野】
【０００１】
この発明は、電磁誘導式の位置検出装置およびこの位置検出装置を備える位置入力装置に関する。
【背景技術】
【０００２】
例えば特許文献１（特開２００６−３０９３０８号公報）に示されるように、ペン型の位置指示器と位置検出装置とからなる位置入力装置が知られている。位置検出装置は、位置指示器により指示された位置を検出するためのセンサ部を備えている。
【０００３】
このセンサ部は、一般的には平板状のセンサ基板を備え、位置指示器による指示入力位置を検出する指示検出平面を備える。そして、電磁誘導式の位置検出装置の場合、センサ基板上には、Ｘ軸方向およびＹ軸方向の各々に細長いループコイルが多数個並べられて設けられている。一方、位置指示器は、コイルとコンデンサとからなる共振回路を備える。
【０００４】
そして、位置検出装置は、センサ部の各々のループコイルに、１本ずつ特定の周波数の電流（励磁用送信電流）を流し、そのループコイルから磁界を発生させる。すると、位置指示器が磁界を発生しているループコイルに近接しているときに、位置指示器の共振回路は電磁誘導により共振し誘導磁界を生じる。次に、ループコイルからの磁界の発生を停止させる。そして、次に、位置指示器の共振回路から発せられる誘導磁界をループコイルで受信し、そのループコイルに流れる信号電流（受信電流）を検出する。位置検出装置は、この動作をループコイルの１本１本ごとに行い、受信電流に基づいて位置指示器の位置を検出する。
【０００５】
なお、多数個のループコイルが形成されたセンサ基板の直下には、ループコイルの磁気特性を安定にさせるための磁路シート（ヨークシート）が設けられる。また、多数個のループコイルが形成されたセンサ基板の直下にアース基板などの導体板が設けられる場合、ループコイルからの交番磁界の影響で、その導体板に渦電流が流れ、この渦電流が装置の動作に悪影響を及ぼす。そのため、磁路シート（ヨークシート）は、シールド部材としても働くように構成されている（例えば特許文献２（特開２００７−１５７１０７号公報）参照）。
【先行技術文献】
【特許文献】
【０００６】
【特許文献１】特開２００６−３０９３０８号公報
【特許文献２】特開２００７−１５７１０７号公報
【発明の概要】
【発明が解決しようとする課題】
【０００７】
ところで、センサ部の周部（センサ基板の端部（端縁）の近傍部分）のループコイルに励磁用送信電流を流したとき、センサ部の中心部（周部で囲まれる部分）のループコイルに比べ、外部への漏洩磁束が多く、それが不要放射となって外部に漏れ出してしまうおそれがある。
【０００８】
すなわち、図１６に示すように、複数個のループコイル１００が形成されているセンサ部の直下にヨークシート２００が配置されている。複数のループコイル１００のうち、図１６（Ａ）に示すように、センサ部の端部よりも内側の中心部のループコイル１００に励磁用送信電流を流したときに発生する磁束３０１は、ヨークシート２００を通って外部に洩れることが少ない。
【０００９】
これに対して、図１６（Ｂ）に示すように、センサ部の周部のループコイル１００に励磁用送信電流を流したときに発生する磁束３０２は、ヨークシート２００の端部から外部に洩れてしまう。また、センサ部の周部では、位置指示器との送受信を妨げる要因が多いため、当該周部のループコイル１００には、他の部分よりもより大きな電流を流すようにしていることも、センサ部の周部における漏洩磁束が大きくなる要因ともなっている。
【００１０】
この発明は、以上の問題点にかんがみ、漏洩磁束を少なくすることができる位置検出装置および位置入力装置を提供することを目的とする。
【課題を解決するための手段】
【００１１】
上記の課題を解決するために、この発明は、
第１の方向に並べられて配設された複数の第１のループコイルと、前記第１の方向に交差する第２の方向に並べられて配設された複数の第２のループコイルとを備えるセンサ部と、
前記センサ部に対して位置指示器とは反対側に配設されたヨークシートと、
前記センサ部の隅部に、前記第１のループコイル及び前記第２のループコイルとは電気的に接続されることなく配設された補助用ループコイルと、
前記位置指示器のコイルに誘導電流を誘起させる磁界を発生させるために、前記第１のループコイルまたは前記第２のループコイルまたは前記補助用ループコイルに信号を送信するための信号送信部と、
前記第１のループコイルまたは前記第２のループコイルまたは前記補助用ループコイルのいずれかを選択し前記信号送信部からの信号を送信させるか、前記第１のループコイルまたは前記第２のループコイルのいずれかを選択し前記位置指示器からの信号を受信させるかを制御する制御部と、
を備える位置検出装置を提供する。
【００１２】
上述の構成のこの発明によれば、センサ部の隅に送信用補助用ループコイルが設けられたことにより、センサ部の第１の方向の周部の第１のループコイルと、センサ部の第２の方向の周部の第２のループコイルとは、送信用としては用いず、電磁誘導により位置指示器からの磁界に応じた信号を検出する受信用としてのみ用いることができる。したがって、センサ部の端部からの漏洩磁束を少なくすることができる。
【発明の効果】
【００１３】
この発明によれば、センサ部の隅に送信用補助用ループコイルを設けたことにより、第１の方向の周部では第１のループコイルを送信用として用いず、また、第２の方向の周辺では第２のループコイルを送信用として用いないようにすることができるので、センサ部の端部からの漏洩磁束を少なくすることができる。
【図面の簡単な説明】
【００１４】
【図１】この発明の位置入力装置の実施形態の外観を示す図である。
【図２】この発明の位置検出装置の実施形態の構成例を説明するための分解斜視図である。
【図３】図２の位置検出装置の実施形態におけるヨークシートの構成例を説明するための図である。
【図４】図２の位置検出装置の実施形態におけるセンサ部の構成例を説明するための図である。
【図５】図２の位置検出装置の実施形態におけるセンサ部の構成例を説明するための図である。
【図６】センサ部の周部のループコイルによる漏洩磁束の不要放射特性を示す図である。
【図７】この発明の位置検出装置の実施形態に用いる補助用コイルの配設位置を説明するために用いる図である。
【図８】この発明の位置検出装置の実施形態に用いる補助用コイルの形状および大きさを説明するために用いる図である。
【図９】この発明の位置検出装置の実施形態に用いる補助用コイルの形状および大きさの例を示す図である。
【図１０】この発明の位置検出装置の実施形態のループコイルについての送受信設定を説明するために用いる図である。
【図１１】この発明の位置検出装置の実施形態の信号処理部の構成例を示すブロック図である。
【図１２】この発明の位置検出装置の実施形態における位置指示器による指示位置の検出処理の流れの一例を説明するためのフローチャートを示す図である。
【図１３】この発明の位置検出装置の実施形態に用いるセンサ部の他の構成例を説明するための図である。
【図１４】この発明の位置検出装置の実施形態に用いるセンサ部の他の構成例を説明するための図である。
【図１５】この発明の位置検出装置の実施形態に用いるセンサ部の他の構成例を説明するための図である。
【図１６】位置検出装置からの漏洩磁束の不要放射を説明するための図である。
【発明を実施するための形態】
【００１５】
以下、この発明による位置検出装置および位置入力装置の実施形態を、図を参照しながら説明する。
【００１６】
［位置入力装置］
図１は、この発明による位置入力装置の実施形態の外観斜視図である。この実施形態の位置入力装置１０は、ペン型の位置指示器１と、位置検出装置２とからなる。位置検出装置２は位置検出平面２ａを備え、この位置検出平面２ａ上における位置指示器１による指示位置を検出し、検出した位置データを外部の機器、例えばパーソナルコンピュータなどに出力する。以下の説明においては、この位置検出平面２ａにおける横方向をＸ軸、縦方向をＹ軸とするＸ−Ｙ直交座標系が仮想的に想定され、位置指示器１の指示位置は、Ｘ座標およびＹ座標として検出されるものとする。
【００１７】
［位置検出装置］
図２は、位置検出装置２の構成を概略的に示す分解斜視図である。この例の位置検出装置２は、上ケース２１と下ケース２２とにより構成される筐体内に、センサ部２３とヨークシート２４と信号処理部２５とを収納する構造を有する。
【００１８】
上ケース２１は、位置検出装置２の筐体２０の上側部分を構成する。この上ケース２１は、プラスチックあるいはガラス等の絶縁性の板で構成される位置検出平面２ａを含む。
【００１９】
この上ケース２１の位置検出平面２ａの直下には、センサ部２３が配置される。このセンサ部２３は、後述するように、複数個のループコイルが配線パターンとして形成されている矩形状のプリント配線基板（以下、センサ基板という）からなる。
【００２０】
センサ部２３の直下には、ヨークシート２４が配置される。このヨークシート２４は、センサ部２３と略同サイズとされる。このヨークシート２４は、図３の断面図に示すように、例えばアルミ箔で構成されたシールドシート２４１上に、例えばアモルファス磁性金属などの高磁性体層２４２が形成されたものである。高磁性体層２４２は、例えば多数個のアモルファス磁性金属リボンがアルミ箔のシールドシート２４１上に被着されることにより形成される。
【００２１】
信号処理部２５は、センサ部２３に接続されている。この信号処理部２５は、後述するように、センサ部２３の複数個のループコイルに供給する所定周波数の交流信号を発生する信号発生部を備えると共に、位置指示器１との電磁誘導によりループコイルに生じる信号電流を検出することにより、位置指示器１による指示位置を検出する位置検出手段を備える。
【００２２】
この信号処理部２５は、例えばＵＳＢインターフェースケーブル２６を通じて、パーソナルコンピュータ等の外部機器に、位置指示器１の位置データを出力する。
【００２３】
図２に示すように、絶縁体である上ケース２１を除いて、センサ部２３、ヨークシート２４、下ケース２２は全て接地される。
【００２４】
［位置検出装置２のセンサ部２３］
センサ部２３を構成するセンサ基板は、この例では、２層のプリント配線基板からなる。図４は、このセンサ基板２３０のＸ軸方向断面図の一部を示すもので、第１層基板２３１と第２層基板２３２とが、Ｘ軸およびＹ軸に直交するＺ軸方向に積層されている。
【００２５】
そして、第１層基板２３１の上ケース２１側の面上には、複数個の第１のループコイル２３３が、Ｘ軸方向に所定の間隔毎に並べられて配設されている。以下、第１のループコイルをＸコイルと称する。
【００２６】
また、第２層基板２３２の下ケース２２側の面上には、複数個の第２のループコイル２３４が、Ｙ軸方向に所定の間隔毎に並べられて配設されている。以下、第２のループコイルをＹコイルと称する。
【００２７】
そして、第１層基板２３１と第２層基板２３２の互いに対向する面間には、図４及び図５から明らかなように、第１のループコイル２３３及び第２のループコイル２３４とは電気的に接続されることなく、独立に、複数個の補助用ループコイル２３５が配設されている。以下、補助用ループコイルを補助用コイルと略称する。
【００２８】
図５は、センサ基板２３０に配設されるＸコイル２３３、Ｙコイル２３４および補助用コイル２３５の配置状態を示す図である。
【００２９】
図５に示すように、Ｘ軸方向には、複数個のＸコイル２３３−ｉ（ｉ＝１，２，３・・・Ｎ（Ｎは２以上の整数））が並べられて配設される。各Ｘコイル２３３−ｉは、Ｙ軸方向に沿って延びる１ターンのループコイルであり、互いに平行で、かつ、重なり合うように並べられて配置されている。各Ｘコイル２３３−ｉは、Ｙ軸方向に沿った長辺２３３ａとループの折曲がり部である端部２３３ｂを備え、長辺２３３ａの長さは、センサ基板２３０のＹ軸方向の両端間の距離にほぼ等しく設定されている。すなわち、Ｘコイル２３３−ｉの長辺部２３３ａは、センサ基板２３０のＹ軸方向の両端部にまで延伸されて配設されている。
【００３０】
なお、Ｘコイル２３３、Ｙコイル２３４は、長辺部２３３ａ、２３４ａと端部２３３ｂ、２３４ｂを有する形状のループコイルとしたが、例えば正方形や長方形などの矩形その他の形状のループコイルであっても良い。
【００３１】
また、Ｙ軸方向には、複数個のＹコイル２３４−ｊ（ｊ＝１，２，３・・・Ｍ（Ｍは２以上の整数））が並べられて配設される。各Ｙコイル２３４−ｊは、Ｘ軸方向に沿って延びる１ターンのループコイルであり、互いに平行で、かつ、重なり合うように並べられて配置されている。各Ｙコイル２３４−ｊは、Ｘ軸方向に沿った長辺２３４ａとループの折曲がり部である端部２３４ｂを備え、長辺２３４ａの長さは、センサ基板２３０のＸ軸方向の両端縁間の距離にほぼ等しく設定されている。すなわち、Ｙコイル２３４−ｊの長辺部２３４ａは、センサ基板２３０のＸ軸方向の両端部にまで延伸されて配設されている。
【００３２】
以上のようにして複数個のＸコイル２３３および複数個のＹコイル２３４が配設された領域の全範囲において、後述するように、位置指示器１から送信される信号をセンサ部２３によって受信することができる。すなわち、Ｘコイル２３３およびＹコイル２３４が配設された全領域を位置指示器１の位置検出が可能な有効エリアとして機能させることできる。位置検出装置２の位置検出平面２ａは、この有効エリアと重なるように構成される。
【００３３】
Ｘコイル２３３およびＹコイル２３４は、センサ基板２３０の第１層基板２３１および第２層基板２３２上において、１または複数層のプリントパターンにより形成される。なお、Ｘコイル２３３およびＹコイル２３４は、１ターンで構成されるものに限らず、必要に応じて複数ターンの構成としても良い。
【００３４】
そして、センサ基板２３０の４隅に、補助用コイル２３５−１〜２３５−４が配設されている。すなわち、Ｘコイル２３３およびＹコイル２３４が配設された矩形の全領域のうちの４隅に、４個の補助用コイル２３５−１〜２３５−４が、Ｘコイル２３３およびＹコイル２３４に重畳して配設される。
【００３５】
［漏洩磁束の問題回避と補助用コイル２３５について］
補助用コイル２３５−１〜２３５−４を設けた理由について以下に説明する。  
Ｘコイル２３３は、Ｙ軸方向に延伸されて配設されており、Ｙ軸方向に沿う長辺２３３ａと、Ｘ軸方向に沿う端部２３３ｂを備えている。このＸコイル２３３に励磁用送信電流を流すと、このＸコイル２３３に鎖交する磁束が発生する。そして、センサ基板２３０の直下には、ヨークシート２４が配設されている。このため、センサ基板２３０のＸ方向の両周部に位置するＸコイル２３３に励磁用送信電流を流したときには、図１６を用いて説明したように、Ｘコイル２３３の長辺２３３ａに鎖交する磁束は、ヨークシート２４のＸ方向の端部から外部へ漏洩し、これが問題となる。このとき、Ｘコイル２３３の端部２３３ｂに鎖交する磁束も、ヨークシート２４のＹ方向の周端部から外部へ漏洩するが、端部２３３ｂは長さが長辺部２３３ａよりも短いので、この漏洩磁束は少なく、問題とはならない。
【００３６】
同様に、Ｙコイル２３４は、Ｘ軸方向に延伸されて配設されており、Ｘ軸方向に沿う長辺２３４ａと、Ｙ軸方向に沿う端部２３４ｂを備えている。このＹコイル２３４に励磁用送信電流を流すと、このＹコイル２３４に鎖交する磁束が発生する。そして、Ｙコイル２３４の長辺２３４ａに鎖交する磁束は、このヨークシート２４のＹ方向の周端部から外部へ磁束が漏洩し、これが問題となる。このとき、Ｙコイル２３４の端部２３４ｂに鎖交する磁束も、ヨークシート２４のＸ方向の端部から外部へ漏洩するが、端部２３４ｂは長さが長辺部２３４ａよりも短いので、この漏洩磁束は少なく、問題とはならない。
【００３７】
例えばＹコイル２３４に励磁用送信電流を流して、漏洩磁束を測定した結果、図６に示すような結果が得られた。この図６の例は、周波数６６７ｋＨｚ、６０ｍＡの交番電流を励磁用送信電流としてＹコイル２３４に流したときの特性であり、横軸は、センサ基板２３０のＹ方向の端部からＹコイル２３４までの距離、縦軸は不要放射レベルである。
【００３８】
この図６からは、許容できる不要放射レベルの閾値を１５ｄＢとすると、Ｙコイル２３４はセンサ基板２３０のＹ方向の端部から約１ｃｍ以上離れていれば良いことが判る。
【００３９】
以上のことから、漏洩磁束の問題を回避するために、図７に示すように、励磁用送信電流を供給するＸコイル２３３はセンサ基板２３０のＸ方向の両端からそれぞれ所定距離ｄｘだけ離れていればよく、また、励磁用送信電流を供給するＹコイル２３４はセンサ基板２３０のＹ方向の両端からそれぞれ所定距離ｄｙだけ離れていれば良い。ここで、所定距離ｄｘおよびｄｙは、漏洩磁束の不要放射レベルが閾値以下となるセンサ基板２３０の端部からの距離である。
【００４０】
なお、以下の説明において、図７に示すように、センサ基板２３０の全領域のうち、Ｙ方向の両端からそれぞれ所定距離ｄｙまでの領域であって、かつ、Ｘ方向の両端から所定距離ｄｘまでの領域を除く領域を、領域Ａ部と称することとする。
【００４１】
また、センサ基板２３０の全領域のうち、Ｘ方向の両端からそれぞれ所定距離ｄｘまでの領域であって、かつ、Ｙ方向の両端から所定距離ｄｙまでの領域を除く領域を、領域Ｂ部と称することとする。
【００４２】
そして、Ｘ方向の両端からそれぞれ所定距離ｄｘまでの領域であって、かつ、Ｙ方向の両端から所定距離ｄｙまでの領域であるセンサ基板２３０の４隅の領域を領域Ｄ部と称することとする。そして、センサ基板２３０の全領域のうち、領域Ａ部、領域Ｂ部、領域Ｄ部を除く中央部領域を、領域Ｃ部と称することとする。
【００４３】
漏洩磁束の不要放射レベルの問題を解決する一つの方策として、ヨークシート２４の大きさを、図７に示す全領域の大きさとすると共に、センサ基板２３０の大きさを図７に示す領域Ｃ部の大きさにして、この領域Ｃ部にのみＸコイル２３３およびＹコイル２３４を配するようにすることが考えられる。このようにすれば、センサ基板２３０のＸコイル２３３およびＹコイル２３４は、ヨークシート２４の端部よりもそれぞれ距離ｄｘおよび距離ｄｙだけ離れた位置にのみ存在し、漏洩磁束の問題は改善される。
【００４４】
しかし、そのようにした場合には、センサ基板２３０に対応する大きさである位置検出平面２ａの大きさが領域Ｃ部に対応したものとなるのに対して、ヨークシート２４の大きさは、領域Ｃ部の周囲の領域Ａ部、領域Ｂ部および領域Ｄ部を含んだ大きさにする必要がある。このため、位置検出装置２の筐体２０は、位置検出平面２ａの周囲部分を大きくしたものとしなければならず、位置検出平面２ａの大きさに比較して大型になってしまうという問題が生じる。
【００４５】
この問題を回避するため、この実施形態では、前述したように、センサ基板２３０とヨークシート２４とはほぼ同サイズとする。そして、図５を用いて説明したように、Ｘコイル２３３およびＹコイル２３４は、従来と同様にセンサ基板２３０のＸ方向の両端部およびＹ方向の両端部にまで渡って配設する。
【００４６】
ただし、この実施形態では、漏洩磁束の不要放射の問題を回避するため、センサ基板２３０のＸ方向の両端部からそれぞれ距離ｄｘだけしか離れていない領域（領域Ｂ部およびその上下の領域Ｄ部）に存在するＸコイル２３３には、励磁用送信電流は供給しないようにする。また、センサ基板２３０のＹ方向の両端部からそれぞれ距離ｄｙだけしか離れていない領域（領域Ａ部およびその左右の領域Ｄ部）に存在するＹコイル２３４にも、励磁用送信電流は供給しないようにする。
【００４７】
なお、後述するように、この実施形態では、励磁用送信電流を供給しないＸコイル２３３およびＹコイル２３４は、受信電流を検出するループコイルとしては使用する。
【００４８】
以上のように、この実施形態では、Ｘ方向の両端部のＸコイル２３３およびＹ方向の両端部のＹコイル２３４には、励磁用送信電流は供給しない。このようにしても、Ｘコイル２３３の長辺２３３ａは、センサ基板２３０のＹ方向の長さの全体に渡って形成されているので、当該Ｘコイル２３３に励磁用送信電流を流すことにより、領域Ａ部においても、領域Ｃ部と同様の強さで磁界を発生させることができる。同様に、Ｙコイル２３４の長辺２３４ａは、センサ基板２３０のＸ方向の長さの全体に渡って形成されているので、当該Ｙコイル２３４に励磁用送信電流を流すことにより、領域Ｂ部においても、領域Ｃ部と同様の強さで磁界を発生させることができる。
【００４９】
しかしながら、図７における４隅の領域Ｄ部においては、Ｘコイル２３３およびＹコイル２３４のいずれにも励磁用送信電流が供給されないので、この領域Ｄ部における磁界は弱いものとなる。
【００５０】
そこで、この実施形態では、この領域Ｄ部における位置指示器１による指示位置を検出するために十分な強さの磁界を発生させるために補助用コイル２３５を配設する。すなわち、図５に示した４個の補助用コイル２３５−１〜２３５−４は、図７の４隅の領域Ｄ部のそれぞれに対応して配設される。図５に示した例では、補助用コイル２３５−１〜２３５−４のそれぞれは、領域Ｄ部を囲む矩形状のループコイルとされる。
【００５１】
［補助用コイル２３５の大きさおよび形状について］
ループコイルによるセンサ基板２３０からの漏洩磁束の不要放射の量は、このループコイルがセンサ基板２３０の端部に最も近接する部分の長さに依存する。Ｘコイル２３３およびＹコイル２３４の端部２３３ｂおよび２３４ｂは、Ｘコイル２３３およびＹコイル２３４の長辺２３３ａおよび２３４ａよりも長さが短いので、Ｘコイル２３３およびＹコイル２３４による漏洩磁束の不要放射の量は、それらの長辺２３３ａおよび２３４ａに応じたものとなる。
【００５２】
一方、この例の補助用コイル２３５は、センサ基板２３０の４隅に配設されるので、補助用コイル２３５の２辺がセンサ基板２３０のＸ方向端部およびＹ方向端部に最も近接することになる。したがって、補助用コイル２３５による漏洩磁束の不要放射の量は、センサ基板２３０のＸ方向端部およびＹ方向端部に最も近接する補助用コイル２３５の２辺の長さの和に応じたものとなる。
【００５３】
ここで、補助用コイル２３５による漏洩磁束の不要放射の量は、少なくとも、Ｘコイル２３３とＹコイル２３４のうち、長辺２３３ａ，２３４ａが短い方のループコイルによる漏洩磁束の不要放射よりも少ない必要がある。
【００５４】
この例では、Ｘコイル２３３の方がＹコイル２３４よりも長辺が短いので、Ｘコイル２３３の長辺２３３ａの長さよりも、センサ基板２３０のＸ方向端部およびＹ方向端部に近接する補助用コイル２３５の２辺の長さの和が小さい必要がある。
【００５５】
すなわち、図８に示すように、Ｘコイル２３３の長辺２３３ａの長さをＬａ、補助用コイル２３５のセンサ基板２３０のＸ方向端部およびＹ方向端部に近接する２辺の長さをそれぞれＬｂ，Ｌｃとしたとき、補助用コイル２３５は、少なくとも、
Ｌｂ＋Ｌｃ＜Ｌａ  ・・・  （式１）
なる条件式を満足するように、その大きさおよび形状が定められる。
【００５６】
なお、各補助用コイル２３５−１〜２３５−４は、領域Ｄ部の上の位置指示器１に対して適切な強さの誘導磁界を供給できる磁束を発生することができればよいので、この例のような矩形形状に限定されるものではなく、多角形形状や円形形状でも良い。
【００５７】
例えば図９（Ａ）に示すように、４隅の補助用コイル２３５−１〜２３５−４のそれぞれを円形形状とするようにしてもよい。ループコイルが円形形状の場合には、図９（Ａ）に示すように、センサ基板２３０のＸ方向端部およびＹ方向端部に近接する補助用コイル２３５の長さ部分は小さくなる。
【００５８】
また、図９（Ｂ）に示すように、４隅の補助用コイル２３５−１〜２３５−４のそれぞれを三角形形状とするようにしてもよい。
【００５９】
なお、補助用コイル２３５は、領域Ｄ部上で位置指示される位置指示器１に十分な誘導磁界を与えることができる磁束を発生させることができれば良いので、この補助用コイルの大きさは領域Ｄ部よりも大きくても、また、小さくても良い。
【００６０】
また、上述の例は、補助用コイル２３５は、全て１ターンのループコイルの例としたが、複数ターンのループコイルであっても良いことはいうまでもない。
【００６１】
［センサ基板２３０の各領域部のループコイルの送受信設定］
この実施形態の位置検出装置においては、図７に示した領域Ａ部、領域Ｂ部、領域Ｃ部、領域Ｄ部のそれぞれ毎に、励磁用送信電流を供給するループコイル（送信コイル）と、位置指示器１との電磁誘導結合により生じる受信電流を受けるループコイル（受信コイル）とを設定するようにする。
【００６２】
図１０に、領域Ａ部、領域Ｂ部、領域Ｃ部、領域Ｄ部のそれぞれ毎に設定された送信コイルおよび受信コイルの例を示す。この場合、受信コイルは、領域Ａ部、領域Ｂ部、領域Ｃ部、領域Ｄ部のすべてにおいて同様で、Ｘ座標検出用としてＸコイル２３３が、Ｙ座標検出用としてＹコイル２３４が、それぞれ用いられる。
【００６３】
しかし、送信コイルは、領域Ａ部、領域Ｂ部、領域Ｃ部、領域Ｄ部のそれぞれ毎に異なる。すなわち、領域Ａ部については、Ｘコイル２３３の長辺２３３ａが領域Ａ部にも延長されていることから、センサ基板２３０のＸ方向の両端からそれぞれ距離ｄｘだけ離れた領域に存在する複数本のＸコイル２３３を、Ｘ座標およびＹ座標検出用の送信コイルとすることができる。
【００６４】
また、領域Ｂ部については、Ｙコイル２３４の長辺２３４ａが領域Ｂ部にも延長されていることから、センサ基板２３０のＹ方向の両端からそれぞれ距離ｄｙだけ離れた複数本のＹコイル２３４を、Ｘ座標およびＹ座標検出用の送信コイルとすることができる。
【００６５】
また、領域Ｃ部については、漏洩磁束の不要放射の問題は発生しないので、Ｘコイル２３３およびＹコイル２３４のいずれも送信コイルとすることが可能である。そこで、この領域Ｃについては、Ｘ座標およびＹ座標検出用の送信コイルとして、それぞれＸコイル２３３およびＹコイル２３４のいずれか一方を用いることができる。
【００６６】
領域Ｄ部については、Ｘコイル２３３およびＹコイル２３４の双方とも、漏洩磁束の不要放射が発生するため送信コイルとしては使用しない。その代わりに、この領域Ｄ部については、補助用コイル２３５を、Ｘ座標およびＹ座標検出用の送信コイルとする。
【００６７】
［信号処理部２５の構成例］
図１１は、信号処理部２５の構成例を示す図であり、この図１１には、信号処理部２５と、センサ部２３との接続関係も併せて示してある。ただし、この図１１では、センサ部２３のＸコイル２３３およびＹコイル２３４は模式的に直線で示し、また、補助用コイル２３５は矩形として示してある。この図１１に示すように、信号処理部２５は、センサ部２３が備えるＸコイル２３３，Ｙコイル２３４および補助用コイル２３５と接続される。なお、理解の便宜を図るために、図１１には位置指示器１も併せて図示している。
【００６８】
位置指示器１は、コイル１０１およびコンデンサ１０２を含む共振回路１０３と、ＩＣ（Integrated  Circuit；集積回路）１０４とを備える。共振回路１０３はＩＣ１０４に接続されている。なお、位置指示器は、ＩＣにより制御されない簡易的な構造のものであっても良い。
【００６９】
信号処理部２５は、制御回路３０１、選択回路３０２、送受切替回路３０３、増幅回路３０４、バンドパスフィルタ３０５、検波回路３０６、サンプルホールド回路３０７、Ａ／Ｄ（Analog to Digital）変換回路３０８、信号発生回路３０９、増幅回路３１０、のそれぞれを備える。
【００７０】
制御回路３０１は、例えばマイクロコンピュータを備え、この信号処理部２５内の必要な各部の制御処理を行う。
【００７１】
選択回路３０２は、センサ部２３が備えるＮ個のＸコイル２３３，Ｍ個のＹコイル２３４および４個の補助用コイル２３５からなる複数個のループコイルのそれぞれと接続されており、制御回路３０１からの制御指示に従って、これら複数個のループコイルの中から１個のループコイルを選択する。
【００７２】
送受切替回路３０３は、選択回路３０２により選択されたループコイルに対して信号を送出する送信モードと、選択回路３０２により選択されたループコイルによって位置指示器１からの信号を受信する受信モードとを、制御回路３０１からの制御指示に従って切り替える。
【００７３】
増幅回路３０４は、送受切替回路３０３から出力された信号を増幅し、バンドパスフィルタ３０５に出力する。バンドパスフィルタ３０５は、増幅回路３０４で増幅された信号について、所定周波数帯域の信号成分のみを通過させ、検波回路３０６に出力する。検波回路３０６は、バンドパスフィルタ３０５を通過した信号成分を電圧値に変換し、サンプルホールド回路３０７に出力する。
【００７４】
サンプルホールド回路３０７は、制御回路３０１からのサンプルホールド用のクロック信号により、所定タイミング、具体的には、受信モード中の所定タイミングにおける検波回路３０６からの電圧値を保持し、Ａ／Ｄ変換回路３０８へ送出する。Ａ／Ｄ変換回路１１３は、サンプルホールド回路３０７のアナログ出力をディジタル信号に変換し、制御回路３０１に出力する。
【００７５】
信号発生回路３０９は、制御回路３０１の制御にしたがって、所定周波数の交流信号を発生し、増幅回路３１０に供給する。増幅回路３１０は、信号発生回路３０９からの交流信号を増幅すると共に、電流に変換して送受切替回路３０３に送出する。送受切替回路３０３は、この増幅回路３１０からの電流を、選択回路３０２によって選択されたループコイルに供給する。
【００７６】
信号処理部２５は、位置指示器１による位置入力操作を次のようにして検出する。  
先ず、制御回路３０１は、選択回路３０２を制御して１個のループコイルを選択させると共に、送受切替回路３０３を制御して、動作モードを送信モードに切り替えさせる。
【００７７】
続いて、制御回路３０１は、信号発生回路３０９を制御して所定周波数の交流信号を発生させる。この交流信号は、増幅回路３１０により増幅されて送受切替回路３０３を介して選択回路３０２に入力される。これにより、選択回路３０２により選択されているループコイルには、上記交流信号に応じた電流が流れ、当該ループコイルに鎖交する磁界（交番磁界）が発生する。
【００７８】
センサ部２３の近傍に位置する位置指示器１においては、このループコイルにより発生した磁界により、その共振回路１０３に誘導電流が誘起され、この誘導電流により、ＩＣ１０４が動作を開始する。ＩＣ１０４は、共振回路１０３に所定周波数の信号を生成させ、この所定周波数の信号を共振回路１０３からセンサ部２３へ送信させる。
【００７９】
制御回路３０１は、上記送信モードの動作を所定時間継続した後に、送受切替回路３０３を制御して、動作モードを受信モードに切り替える。この切り替えによって、信号発生回路３０９からの信号が選択回路３０２に入力されなくなる。そして、制御回路３０１は、受信モードで選択するループコイルを、その直前の送信モードで選択されているループコイルとは異なるループコイルに変更させる場合には、選択回路３０２に対して、その変更制御指示を送り、選択するループコイルを変更するように制御する。受信モードにおいて、その直前の送信モードとで同じループコイルを用いる場合には、制御回路３０１は、このループコイルの変更制御は行わない。
【００８０】
この受信モードにおいては、ＩＣ１０４の動作により位置指示器１から送信された信号が、選択回路３０２により選択されているループコイルにより受信される。詳細には、位置指示器１の共振回路１０３に信号電流が流れることにより、この共振回路１０３の周囲に磁界が発生し、この磁界によってセンサ部２３の複数のループコイルのうち、位置指示器１の近傍のループコイルに誘導電流が流れる。そして、選択回路３０２により選択されているループコイルに流れる誘導電流が送受切替回路３０３を通じて増幅回路３０４に供給されて増幅される。
【００８１】
そして、この増幅回路３０４からの出力信号がバンドパスフィルタ３０５に供給されて帯域制限され、このバンドパスフィルタ３０５からの所定周波数帯域成分が検波回路３０６に入力される。この成分は検波回路３０６によって電圧値に変換され、サンプルホールド回路３０７に保持される。サンプルホールド回路３０７に保持された電圧値は、Ａ／Ｄ変換回路３０８によってデジタルデータに変換されて制御回路３０１に出力される。
【００８２】
制御回路３０１は、Ａ／Ｄ変換回路からのデジタルデータをバッファメモリに一時保存する。そして、制御回路３０１は、選択回路３０２でのループコイルの選択制御により受信コイルを変更し、その受信コイルにおける受信モードでＡ／Ｄ変換回路３０８から入力されるデジタルデータを取り込んでバッファメモリに一時保存する。
【００８３】
そして、制御回路３０１は、バッファメモリに一時保存した各ループコイルについてのデジタルデータを演算処理することにより、位置指示器１によって指示入力された位置に近いループコイルを特定して、位置指示器１により指示された位置の座標を求める。
【００８４】
なお、位置指示器１は、図示は省略したが、筆圧を検知するための芯材を備えていると共に、この芯材に加わった筆圧に応じて、コイル１０１のインダクタンスまたはコンデンサ１０２の容量を可変する機構を備えている（例えば、特開平４−９６２１２号公報参照）。そして、位置指示器１においては、筆圧の変化により、共振回路１０３の共振周波数が変化する。
【００８５】
制御回路３０１は、Ａ／Ｄ変換回路３０８からのデジタルデータを演算処理することにより、この共振周波数の変化（位相変化）を検出して、位置指示器１に加わった筆圧をも検知する。
【００８６】
［ループコイルの選択制御について］
位置指示器１の指示位置を検出するまでにおける制御回路３０１によるループコイルの選択制御の一例について以下に説明する。以下に説明する例においては、制御回路３０１は、先ず、飛び飛びのＸコイルまたはＹコイルを順次に探索して大まかな指示位置の検出（以下、グローバルスキャンという）を行う。そして、制御回路３０１は、グローバルスキャンにおいて有意な受信結果が得られたループコイルの近傍領域内の１本１本ずつのＸコイルまたはＹコイルを順次に探索して精細な指示位置の検出（以下、セクタスキャンという）を行うようにする。さらに、この実施形態では、補助用コイル２３５を送信コイルとして用いた４隅の領域における位置検出を行うが、この４隅の領域においても、大まかな指示位置の検出（以下、粗コーナースキャンという）と、精密な指示位置の検出（以下、精細コーナースキャンという）とを行う。
【００８７】
図１２は、制御回路３０１による指示位置の検出処理の流れの一例を示すフローチャートである。
【００８８】
この例においては、先ず、制御回路３０１は、センサ基板２３０のＹ方向の両周部の領域Ａ部（上下の領域Ａ部）および領域Ｃ部からなる領域について、当該領域内にあるＸコイル２３３を送受のループコイルとしてグローバルスキャンを行う（ステップＳ１）。
【００８９】
すなわち、制御回路３０１は、センサ基板２３０のＸ方向の一方の端部、例えば左端から距離ｄｘ以上離れた位置のＸコイル２３３、例えばＸコイル２３３−ｋを、このステップＳ１のグローバルスキャンの最初のループコイルとして選択回路３０２に選択させる。ここで、ｋは、（センサ基板２３０のＸ方向の端部から距離ｄｘ内に含まれるＸコイル２３３の本数＋１）以上の整数である。なお、後述するｋ´も同様の整数である。そして、制御回路３０１は、送受切替回路３０３を送信モードに切り替え、そのＸコイル２３３−ｋに信号発生回路３０９からの信号電流を流す。
【００９０】
次に、所定時間が経過したら、制御回路３０１は、送受切替回路３０３を受信モードに切り替える。そして、制御回路３０１は、この受信モードにおいては、位置指示器１からの磁界に応じてＸコイル２３３−ｋに流れる誘導電流をサンプルホールド回路３０７で取り込み、そのデジタルデータをＡ／Ｄ変換回路３０８から受け取る。そして、制御回路３０１は、その取り込んだデジタルデータを、当該受信モードのＸコイル２３３−ｋについての受信結果として、バッファメモリに一時記憶しておく。
【００９１】
以上のようにして、Ｘコイル２３３−ｋについての送受のモードが終了したら、制御回路３０１は、１または複数本置き例えば３本置きのＸコイル２３３−（ｋ＋４）を選択するように選択回路３０２を制御する。そして、新たに選択された送受のＸコイル２３３−（ｋ＋４）について、上述の送信モードおよび受信モードを繰り返す。以降、同様にして、制御回路３０１は、この例では、３本置きのＸコイル２３３−（ｋ＋８）、Ｘコイル２３３−（ｋ＋１２）、・・・というようにして、送受のＸコイルを、センサ基板２３０の右端からｄｘ以上離れた位置のＸコイル２３３−（Ｎ−ｋ´）まで切り替え、選択された各送受のＸコイルについて上述の送信モードおよび受信モードを繰り返す。
【００９２】
以上のようにしてステップＳ１でのグローバルスキャンが終了すると、この例では、制御回路３０１は、センサ基板２３０のＸ方向の両周部の領域Ｂ部（左右の領域Ｂ部）および領域Ｃ部からなる領域について、当該領域内にあるＹコイル２３４を送受のループコイルとしてグローバルスキャンを行う（ステップＳ２）。
【００９３】
すなわち、制御回路３０１は、センサ基板２３０のＹ方向の一方の端部、例えば、センサ基板２３０の上端から距離ｄｙ以上離れた位置のＹコイル２３４、例えばＹコイル２３４−ｐを、このステップＳ２のグローバルスキャンの最初のループコイルとして選択回路３０２に選択させる。ここで、ｐは、（センサ基板２３０のＹ方向の端部から距離ｄｙ内に含まれるＹコイル２３４の本数＋１）以上の整数である。後述するｐ´も同様の整数である。そして、制御回路３０１は、送受切替回路３０３を送信モードに切り替え、そのＹコイル２３４−ｐに信号発生回路３０９からの信号電流を流す。
【００９４】
次に、所定時間経過したら、制御回路３０１は、送受切替回路３０３を受信モードに切り替える。そして、制御回路３０１は、この受信モードにおいては、位置指示器１からの磁界に応じてＹコイル２３４−ｐに流れる誘導電流をサンプルホールド回路３０７で保持し、そのデジタルデータをＡ／Ｄ変換回路３０８から受け取る。そして、制御回路３０１は、その受け取ったデジタルデータを、当該受信モードで選択中のＹコイル２３４−ｐについての受信結果としてバッファメモリに一時記憶しておく。
【００９５】
以上のようにして、Ｙコイル２３４−ｐについての送受のモードが終了したら、制御回路３０１は、１または複数本置き例えば３本置きのＹコイル２３４−（ｐ＋４）を選択するように選択回路３０２を制御する。そして、新たに選択された送受のＹコイル２３４−（ｐ＋４）について、上述の送信モードおよび受信モードを繰り返す。以降、同様にして、制御回路３０１は、この例では、３本置きのＹコイル２３４−（ｐ＋８）、Ｙコイル２３４−（ｐ＋１２）、・・・というようにして、送受のＹコイルを、センサ基板２３０の下端からｄｙ以上離れた位置のＹコイル２３４−（Ｍ−ｐ´）まで切り替え、選択された各送受のＹコイルについて上述の送信モードおよび受信モードを繰り返す。
【００９６】
以上のようにしてステップＳ２でのグローバルスキャンが終了すると、制御回路３０１は、ステップＳ１のグローバルスキャンで一時記憶している各Ｘコイル２３３についての受信結果およびステップＳ２のグローバルスキャンで一時記憶している各Ｙコイル２３４についての受信結果を参照し、有意な値を示している受信結果があるか否か判別する（ステップＳ３）。
【００９７】
このステップＳ３で、有意な値を示している受信結果が存在しないと判別したときには、制御回路３０１は、センサ基板２３０の４隅の領域Ｄ部について、送信コイルを補助用コイル２３５とする粗コーナースキャンを行う（ステップＳ４）。
【００９８】
すなわち、制御回路３０１は、このステップＳ４においては、例えば左上隅の補助用コイル２３５−１を、このステップＳ４の粗コーナースキャンの最初のループコイルとして選択回路３０２に選択させる。そして、制御回路３０１は、送受切替回路３０３を送信モードに切り替え、その補助用コイル２３５−１に信号発生回路３０９からの信号電流を流す。
【００９９】
次に、所定時間経過したら、制御回路３０１は、送受切替回路３０３を受信モードに切り替えると共に、この左上隅の領域Ｄ部を通るＸコイル２３３またはＹコイル２３４の１本を選択させるように、選択回路３０２を制御する。そして、制御回路３０１は、この受信モードにおいては、位置指示器１からの磁界に応じて選択回路３０２で選択されたＸコイル２３３またはＹコイル２３４に流れる誘導電流をサンプルホールド回路３０７で保持し、そのデジタルデータをＡ／Ｄ変換回路３０８から受け取る。そして、制御回路３０１は、その受け取ったデジタルデータを、当該受信モードで選択されているＸコイル２３３またはＹコイル２３４についての受信結果としてバッファメモリに一時記憶しておく。
【０１００】
このステップＳ４の粗コーナースキャンにおいては、受信モードが終了したら、制御回路３０１は、再度、補助用コイル２３５−１を選択するように選択回路３０２を制御し、上述の送信モードを実行する。そして、送信モードが終了したら、制御回路３０１は、この左上隅の領域Ｄ部を通るＸコイル２３３またはＹコイル２３４の別の１本を選択させるように選択回路３０２を制御して、上述した受信モードを実行する。
【０１０１】
そして、送信コイルを補助用コイル２３５−１とし、受信コイルを左上隅の領域Ｄ部を通るＸコイル２３３またはＹコイル２３４の異なる１本とする送受のモードを繰り返した後は、制御回路３０１は、例えば右上隅の領域Ｄ部についての粗コーナースキャンを実行する。すなわち、制御回路３０１は、送信コイルを補助用コイル２３５−２とし、受信コイルを右上隅の領域Ｄ部を通るＸコイル２３３または２３４の異なる１本とする送受のモードを繰り返すように制御する。
【０１０２】
そして、この右上隅の領域Ｄ部についての粗コーナースキャンが終了すると、制御回路３０１は、左下隅の領域Ｄ部について、送信コイルを補助用コイル２３５−３とし、受信コイルを左下隅の領域Ｄ部を通るＸコイル２３３またはＹコイル２３４の異なる１本とする送受のモードを繰り返す粗コーナースキャンを実行する。
【０１０３】
さらに、この左下隅の領域Ｄ部についての粗コーナースキャンが終了すると、制御回路３０１は、右下隅の領域Ｄ部について、送信コイルを補助コイル２３５−４とし、受信コイルを右下隅の領域Ｄ部を通るＸコイル２３３またはＹコイル２３４の異なる１本とする送受のモードを繰り返す粗コーナースキャンを実行する。以上で、このステップＳ４の粗コーナースキャンが終了する。
【０１０４】
なお、上述の説明では、ステップＳ４の粗コーナースキャンにおいて、４隅の各領域Ｄ部では受信コイルを切り替えて、送信モードと受信モードとを複数回、繰り返すようにした。しかし、領域Ｄ部の大きさは比較的狭いので、各領域Ｄ部では、ステップＳ４の粗コーナースキャンにおいて、送信モードと受信モードとを繰り返さずに１回の送信モードと受信モードとを行うようにしても良い。
【０１０５】
以上のようにしてステップＳ４での粗コーナースキャンが終了すると、制御回路３０１は、バッファメモリに一時記憶している各Ｘコイル２３３またはＹコイル２３４についての受信結果を参照し、有意な値を示している受信結果があるか否か判別する（ステップＳ５）。
【０１０６】
このステップＳ５で、有意な値を示している受信結果が存在しないと判別したときには、制御回路３０１は、ステップＳ１に戻り、このステップＳ１以降の処理を繰り返す。
【０１０７】
一方、ステップＳ３で、有意な値を示している受信結果が存在すると判別したときには、制御回路３０１は、その受信結果が有意な値を示しているＸコイル２３３、Ｙコイル２３４を判定することにより、セクタスキャンをする領域を判定して、セクタスキャンを実行する（ステップＳ６）。
【０１０８】
ここで、受信結果が有意な値を示しているループコイルが、Ｘコイル２３３およびＹコイル２３４の両方であるときには、セクタスキャンすべき領域には領域Ｃ部を少なくとも含むものとなる。
【０１０９】
そして、制御回路３０１は、Ｘコイル２３３およびＹコイル２３４の両方の受信結果が有意な値を示している場合において、受信結果が有意な値を示しているＸコイル２３３が領域Ｂ部の一方の近傍のＸコイル２３３であるときには、領域Ｃ部とその領域Ｂ部の一方とを含む領域をセクタスキャンすべき領域と判定する。領域Ｂ部においては、図１０に示したように、送信コイルはＹコイル２３４とすべきである。そこで、制御回路３０１は、Ｙコイル２３４のみを送信コイルとすると共に、Ｘコイル２３３とＹコイル２３４を受信コイルとして切り替えながら、判定した領域でのセクタスキャンを行い、上述した位置指示器１の指示位置の検出を行う。
【０１１０】
また、制御回路３０１は、Ｘコイル２３３およびＹコイル２３４の両方の受信結果が有意な値を示している場合において、受信結果が有意な値を示しているＹコイル２３４が領域Ａ部の一方の近傍のＹコイル２３４であるときには、領域Ｃ部とその領域Ａ部の一方とを含む領域をセクタスキャンすべき領域と判定する。領域Ａ部においては、図１０に示したように、送信コイルはＸコイル２３３とすべきである。そこで、制御回路３０１は、Ｘコイル２３３のみを送信コイルとすると共に、Ｘコイル２３３とＹコイル２３４を受信コイルとして切り替えながら、判定した領域でのセクタスキャンを行い、上述した位置指示器１の指示位置の検出を行う。
【０１１１】
また、制御回路３０１は、Ｘコイル２３３およびＹコイル２３４の両方の受信結果が有意な値を示している場合において、受信結果が有意な値であるという判定結果を示しているＸコイル２３３が領域Ｂ部の一方の近傍のＸコイル２３３であり、かつ、受信結果が有意な値であるという判定結果を示しているＹコイル２３４が前記領域Ｂ部の一方に隣接する領域Ａ部の一方の近傍のＹコイル２３４であるときには、前記領域Ｂ部の一方および前記領域Ａ部の一方の両者と接する領域Ｄ部を含む領域をセクタスキャンすべき領域と判定する。領域Ｄ部においては、図１０に示したように、送信コイルは補助用コイル２３５とすべきである。そこで、制御回路３０１は、補助用コイル２３５のみを送信コイルとすると共に、Ｘコイル２３３とＹコイル２３４を受信コイルとして切り替えながら、判定した領域でのセクタスキャンを行い、上述した位置指示器１の指示位置の検出を行う。
【０１１２】
さらに、制御回路３０１は、Ｘコイル２３３およびＹコイル２３４の両方の受信結果が有意な値を示している場合において、上記の場合以外のときには、領域Ｃ部のみをセクタスキャンすべき領域と判定する。領域Ｃ部においては、図１０に示したように、送信コイルについては制約は無く、Ｘコイル２３３とＹコイル２３４のいずれも使用することができる。そこで、制御回路３０１は、判定した領域において、例えば、先ず、１本ずつのＸコイル２３３について送受のモードを実行し、その後、１本ずつのＹコイル２３４について送受のモードを実行する。そして、制御回路３０１は、一時記憶した各Ｘコイル２３３の受信結果および各Ｙコイル２３４の受信結果に基づき、位置指示器１の位置データを生成し、出力する。
【０１１３】
このステップＳ６が終了した後には、制御回路３０１は、ステップＳ１に戻り、このステップＳ１以降の処理を繰り返す。
【０１１４】
また、ステップＳ５で、有意な値を示している受信結果が存在すると判別したときには、制御回路３０１は、その受信結果が有意な値を示しているＸコイル２３３および／またはＹコイル２３４を判定することにより、精細コーナースキャンをする領域を判定して、精細コーナースキャンを実行する（ステップＳ７）。このとき、４隅の領域Ｄ部のいずれかが、先ず、判定されて、その判定された１つの領域Ｄ部について、さらに精細コーナースキャンをする領域が判定される。なお、判定された領域Ｄ部の全領域を、精細コーナースキャンすべき領域と判定するようにしても良い。
【０１１５】
このステップＳ７における精細コーナースキャンにおいては、送信コイルは常に補助用コイルとされ、受信コイルがＸコイル２３３とＹコイル２３４とに切り替えられる。そして、制御回路３０１は、バッファメモリに一時記憶した各Ｘコイル２３３の受信結果および各Ｙコイル２３４の受信結果に基づき、位置指示器１の位置データを生成し、出力する。
【０１１６】
なお、以上のループコイルの選択制御は一例であり、これに限られるわけではない。例えば上述の例におけるステップＳ２のグローバルスキャンをステップＳ１のグローバルスキャンの先に行うようにしても良い。
【０１１７】
また、上記の例では、ステップＳ１のグローバルスキャンおよびステップＳ２のグローバルスキャンを行った後に、セクタスキャンに移行することができるようにした。しかし、ステップＳ１およびステップＳ２のグローバルスキャン、そして、ステップＳ４の粗コーナースキャンを順次に行った後、それらのグローバルスキャンおよび粗コーナースキャンで一時記憶した各Ｘコイル２３３の受信結果および各Ｙコイル２３４の受信結果を総合的に判断して、セクタスキャンあるいは精細コーナースキャンをするエリアを決定し、当該セクタスキャンあるいは精細コーナースキャンを実行するようにしても良い。
【０１１８】
また、ステップＳ４の粗コーナースキャンを、ステップＳ１のグローバルスキャンやステップＳ２のグローバルスキャンの前に行っても良い。さらには、ステップＳ１のグローバルスキャンやステップＳ２のグローバルスキャンの途中で、ステップＳ４の粗コーナースキャンを行うようにしても良い。
【０１１９】
また、上記の例は、グローバルスキャンとセクタスキャン、また、粗コーナースキャンと精細コーナースキャンとを組み合わせる方法であるが、グローバルスキャンや粗コーナースキャンを行わずに、ループコイルを順次に切り替えて指示位置検出を行うようにしても良い。ただし、その際にも、図１０に示した各領域毎に使用可能な送信コイルを考慮する必要があるのは言うまでもない。
【０１２０】
［センサ部２３の他の構成例］
上述の実施形態の位置検出装置２のセンサ部２３は、図４および図５に示したように、補助用コイルを２層のプリント配線基板の中間に設けるようにしたが、センサ部２３の構成としては、上述の例に限られるものではない。
【０１２１】
図１３は、センサ部２３の他の構成例の一つを示すものである。この例においては、１枚の両面プリント配線基板２３６の表面側に、１または複数層のプリントパターンにより複数個のＸコイル２３３−１，２３３−２，・・・２３３−Ｎを形成すると共に、このプリント配線基板２３６の裏面側に、１または複数層のプリントパターンにより複数個のＹコイル２３４−１，２３４−２，・・・２３４−Ｍを形成する。
【０１２２】
そして、この例においては、小型のプリント配線基板２３７−１，２３７−２，２３７−３，２３７−４のそれぞれの表面に、プリントパターンにより補助用コイル２３５−１，２３５−２，２３５−３，２３５−４の各々を形成する。そして、補助用コイル２３５−１，２３５−２，２３５−３，２３５−４の各々を形成した４個の小型のプリント配線基板２３７−１，２３７−２，２３７−３，２３７−４を、両面プリント配線基板２３６の４隅に貼り合せて配設する。
【０１２３】
なお、４個の小型プリント配線基板ではなく、両面プリント配線基板２３６の周部に対応する枠形状のプリント配線基板を用いるようにしてもよい。すなわち、図１４は、その場合のセンサ部２３の構成例を示す図である。図１４（Ａ）は、その例のセンサ部２３の平面図であり、図１４（Ｂ）は、図１４（Ａ）におけるＸ−Ｘ断面図である。
【０１２４】
この図１４に示すように、この例のセンサ部２３は、表面に複数個のＸコイル２３３が形成され、裏面に複数個のＹコイル２３４が形成された両面プリント配線基板２３６を備える。そして、この両面プリント配線基板２３６の例えば表面上に、センサ部２３の周部に対応する枠形状のプリント配線基板２３８が貼り合わされている。この枠形状のプリント配線基板２３８の４隅には、補助用コイル２３５−１，２３５−２，２３５−３，２３５−４の各々が、プリントパターンにより形成されている。
【０１２５】
なお、図１４において、両面プリント配線基板２３６が枠形状のプリント配線基板２３８よりも外側に張り出した部分は、Ｘコイル２３３およびＹコイル２３４のリード端子部が設けられる部分である。
【０１２６】
上述の実施形態では、補助用コイルは、センサ部２３の領域Ｄ部の４隅にのみ設けるようにした。しかし、補助用コイルは、センサ部２３の周部である領域Ａ部や領域Ｂ部にも設けるようにしても良い。図１５に、周部である領域Ａ部や領域Ｂ部にも補助用コイル２３５を設けたセンサ部２３の一例を示す。
【０１２７】
さらに、制御回路３０１は、Ｘコイル２３３およびＹコイル２３４の両方の受信結果が有意な値を示している場合において、上記の場合以外のときには、領域Ｃ部のみをセクタスキャンすべき領域と判定する。領域Ｃ部においては、図１０に示したように、送信コイルについては制約は無く、Ｘコイル２３３とＹコイル２３４のいずれも使用することができる。そこで、制御回路３０１は、判定した領域において、例えば、先ず、１本ずつのＸコイル２３３について送受のモードを実行し、その後、１本ずつのＹコイル２３４について送受のモードを実行する。そして、制御回路３０１は、一時記憶した各Ｘコイル２３３の受信結果および各Ｙコイル２３４の受信結果に基づき、位置指示器１の位置データを生成し、出力する。
【０１２８】
図１５の例では、枠形状のプリント配線基板２３８上には、センサ部２３の４隅の領域Ｄ部に前述した補助用コイル２３５−１，２３５−２，２３５−３，２３５−４を形成すると共に、領域Ａ部および領域Ｂ部に、補助用コイル２３５−１〜２３５−４と同一形状および大きさの補助用コイル２３９を、所定の間隔を置いて形成する。
【０１２９】
例えば、上述の実施形態では、グローバルスキャンのみではなく、セクタスキャンにおいても領域Ａ部においてはＸコイル２３３を送信コイルとして用い、また、領域Ｂ部においてはＹコイル２３４を送信コイルとして用いるようにした。これに対して、図１５の例のセンサ部を用いる例の場合には、領域Ａ部や領域Ｂ部におけるセクタスキャンにおいては、各補助用コイル２３９を送信コイルとする。
【０１３０】
すなわち、セクタスキャンにおいては、上下の領域Ａ部の一方、また、左右の領域Ｂ部の一方を、それぞれ探索領域とすればよい。図１５の例では、領域Ａ部や領域Ｂ部に設けた補助用コイル２３９を送信コイルとして使用することで、効率良く、セクタスキャンを実施することができる。
【０１３１】
また、前述したように、センサ部２３の周囲の近傍には、所定の回路（ＩＣ等）が配設されることが多く、それらの回路からのノイズの影響で、センサ部２３の周部では、誘導磁界による結合が弱くなることがある。例えば位置検出平面の部分にＬＣＤ（Liquid  Crystal  Display）が設けられる場合、センサ部２３の周囲の近傍にバックライト駆動用回路が設けられる。
【０１３２】
そのため、従来はセンサ部の周部のＸコイルおよびＹコイルを送信コイルとして使用する場合には、励磁用送信電流を大きくする必要があり、それが漏洩磁束の不要放射の問題の一因であった。
【０１３３】
しかし、図１５の例の場合には、ＸコイルやＹコイルよりも小型の補助用コイル２３９を送信コイルとして用いるので、補助用コイル２３９に、センサ部２３の周囲の外部回路の影響を考慮した大きな励磁用送信電流を流しても、漏洩磁束は量は少なく、問題とならないレベルに抑えることができる。
【０１３４】
なお、領域Ａ部や領域Ｂ部における位置指示器による指示位置の探索において、上述の例のように、Ｘコイル２３３やＹコイル２３４を用いると共に、補助用コイル２３９を合わせて用いるようにしても勿論よい。そのようにした場合には、補助用コイル２３９により、センサ部２３の周囲の外部回路の影響を考慮した適切な磁界を発生させることができる。
【０１３５】
なお、領域Ａ部や領域Ｂ部などのセンサ部の周部の補助用コイル２３９は、図１５に示したように、それぞれの領域Ａ部や領域Ｂ部の全体に渡って設けるのではなく、センサ部２３の周囲の外部回路の影響が強い領域にのみ、設けるようにしても良い。
【０１３６】
なお、補助用コイルは、上述の実施形態では、センサ部に複数個を設けるようにしたが、１個でもよい。
【符号の説明】
【０１３７】
１…位置指示器、２…位置検出装置、１０…位置入力装置、２３…センサ部、２４…ヨークシート、２５…信号処理部、２３１，２３２…プリント配線基板、２３３…Ｘコイル、２３４…Ｙコイル、２３５，２３９…補助用コイル、２３６…両面プリント配線基板、２３７…小型プリント配線基板、２３８…枠形状プリント配線基板
【図１】
0005626962.tif 000002
【図２】
0005626962.tif 000003
【図３】
0005626962.tif 000004
【図４】
0005626962.tif 000005
【図５】
0005626962.tif 000006
【図６】
0005626962.tif 000007
【図７】
0005626962.tif 000008
【図８】
0005626962.tif 000009
【図９】
0005626962.tif 000010
【図１０】
0005626962.tif 000011
【図１１】
0005626962.tif 000012
【図１２】
0005626962.tif 000013
【図１３】
0005626962.tif 000014
【図１４】
0005626962.tif 000015
【図１５】
0005626962.tif 000016
【図１６】
0005626962.tif 000017